(57)【要約】【課題】球面収差によって、光記録媒体表面のバーコードを正確に読み取ることができない。【解決手段】光記録媒体１００が、レーザ光の入射側表面の所定の半径位置に周方向にマークされ、光記録媒体の種類を識別するためのコードが記録されたバーコード１０４を備え、バーコード１０４はマークされた第１の領域とマーク以外の第２の領域を含み、第１の領域の周方向の最短のマークの長さは、記録層に記録されるピット２０４の最短のピット長よりも長くなるように構成することにより、正確にバーコード１０４を読み取ることができ、迅速かつ正確に光記録媒体１００の種類を識別することができる。【選択図】図５
2006344275.tif 000002
【特許請求の範囲】
【請求項１】
情報の記録または再生を行うための記録層を備える光記録媒体であって、
レーザ光の入射側表面の所定の半径位置に周方向にマークされ、前記光記録媒体の種類を識別するためのコードが記録されたバーコードを備え、
前記バーコードはマークされた第１の領域と前記マーク以外の第２の領域を含み、前記第１の領域の周方向の最短のマークの長さは、前記記録層に記録されるピットの最短のピット長よりも長いことを特徴とする光記録媒体。
【請求項２】
前記第１の領域の反射率は前記第２の領域の反射率より低く、前記第１の領域の周方向の平均的な長さは前記第２の領域の周方向の平均的な長さより短いことを特徴とする請求項１に記載の光記録媒体。
【請求項３】
前記バーコードには光記録媒体に個別に与えられるＩＤ情報が記録されていることを特徴とする請求項１または請求項２に記載の光記録媒体。
【請求項４】
請求項１から請求項３のいずれか１項に記載の光記録媒体の表面に焦点制御を行い、前記光記録媒体の表面からの反射光により前記バーコードの情報を読み取り、前記光記録媒体の種類を識別することを特徴とする光ディスク装置。
【請求項５】
異なる波長の複数のレーザを備え、その内の１つのレーザを用いて前記バーコードの情報を読み取り、光記録媒体の種類を識別することを特徴とする請求項４に記載の光ディスク装置。
【請求項６】
前記バーコードを読み取るレーザは、搭載された前記レーザの内、最も短波長のレーザで読み取ることを特徴とする請求項５に記載の光ディスク装置。
【請求項７】
情報の記録または再生を行うための記録層を備える光記録媒体であって、
レーザ光の入射側表面の所定の半径位置に周方向にマークした第１のバーコードと、前記記録層の所定の半径位置に周方向にマークした第２のバーコードとを備え、
前記第１のバーコードと前記第２のバーコードには相関のある情報をマークすることを特徴とする光記録媒体。
【請求項８】
前記第１のバーコードは光記録媒体の種類を識別するためのコードを記録したものであり、マークされた第１の領域と前記マーク以外の第２の領域を含み、前記第１の領域の周方向の最短のマークの長さは、前記記録層に記録されるピットの最短のピット長よりも長いことを特徴とする請求項７に記載の光記録媒体。
【請求項９】
前記第１の領域の反射率は前記第２の領域の反射率より低く、前記第１の領域の周方向の平均的な長さは前記第２の領域の周方向の平均的な長さより短いことを特徴とする請求項７または請求項８に記載の光記録媒体。
【請求項１０】
前記第１のバーコードには光記録媒体に個別に与えられるＩＤ情報が記録されていることを特徴とする請求項７から請求項９のいずれか１項に記載の光記録媒体。
【請求項１１】
前記第１のバーコードと前記第２のバーコードを前記光記録媒体の異なる半径位置に形成することを特徴とする請求項７から請求項１０のいずれか１項に記載の光記録媒体。
【請求項１２】
請求項７から請求項１１のいずれか１項に記載の光記録媒体の表面に焦点制御を行い、前記光記録媒体の表面からの反射光より前記第1のバーコードの情報を読み取り、記録層に焦点制御を行い、前記第２のバーコードを読み取るように構成したことを特徴とする光ディスク装置。
【請求項１３】
読み取った前記第１のバーコードと前記第２のバーコードにマークされた情報に相関があるかどうかを判断し、前記第１のバーコードと前記第２のバーコードにマークされた情報とに相関がないと判断された場合、少なくとも焦点制御を停止することを特徴とする請求項１２に記載の光ディスク装置。
【発明の詳細な説明】
【技術分野】
【０００１】
本発明は、半導体レーザ等を用いて情報の記録や再生を行う光記録媒体及び光ディスク装置に関するものである。
【背景技術】
【０００２】
従来の光記録媒体として、ＣＤやＤＶＤ等多くの種類が存在し、これらを１つの装置で記録または再生できる光ディスク装置が良く知られている。
【０００３】
一般に、光記録媒体に情報を記録及び再生する場合、その光記録媒体に適した波長のレーザを使用する必要がある。ＣＤの場合は、レーザ波長が約７８０ｎｍのレーザが使用され、ＤＶＤの場合は、レーザ波長６６０ｎｍのレーザが使用される。さらに、ＢＤ（ブルーレイディスク）などの次世代の高密度光記録媒体では、レーザ波長が約４２０ｎｍのレーザが使用される。
【０００４】
すなわち、光記録媒体に記録及び再生を行う場合には、まず、光記録媒体の種類を識別し、使用するレーザを決定する必要がある。
【０００５】
この光記録媒体の種類の識別には、上述の異なる波長のレーザを順次発光して、光記録媒体からの反射光により光記録媒体の種類を特定する方法がある。しかし、この方法には多くの時間が必要となり、起動時間短縮の大きな課題であった。
【０００６】
これに対応した光記録媒体として、光記録媒体のレーザ光の入射側の所定の深さ、もしくは表面であって記録領域外に光記録媒体の種類を示すディスク種別情報を記したバーコードを記録したことを特徴とする光記録媒体がある（例えば、特許文献１参照）。これによれば、上述の複数のレーザを順次切り換える動作は必要なく、光記録媒体のバーコードに焦点制御しバーコードを読み取るだけで、光記録媒体のディスク種別情報が取得できる。そして、このディスク種別情報から光記録媒体の種類を特定し、使用するレーザを選択すると共に、光ディスク装置の動作方法も選択して、迅速かつ正確に光記録媒体の種類の識別を可能としている。
【特許文献１】特開２００５−７１４２８号公報
【発明の開示】
【発明が解決しようとする課題】
【０００７】
しかしながら、光ディスク装置での光学系では、記録層にデータを記録または再生するため、記録層の記録面にレーザ光を焦点したときに、スポット径が最適になるように設計されており、光記録媒体のレーザ光の入射側表面に形成されたバーコードに焦点した場合、設計値と光の波の伝播距離が異なるために、球面収差が生じて、焦点スポットが記録層に焦点した場合に比べて大きくなってしまい、正確にバーコードを読み取ることができない可能性があり、迅速かつ正確に光記録媒体の種類の識別ができない。本発明は、上記従来の課題を解決するもので、光記録媒体の表面に形成されたバーコードを正確に読み取ることを可能とした光記録媒体及び光ディスク装置を提供することを目的とする。
【課題を解決するための手段】
【０００８】
前記従来の課題を解決するために、本発明の光記録媒体は、情報の記録または再生を行うための記録層を備える光記録媒体であって、レーザ光の入射側表面の所定の半径位置に周方向にマークされ、前記光記録媒体の種類に応じたコードが記録されたバーコードを備え、前記バーコードはマークされた第１の領域と前記マーク以外の第２の領域を含み、前記第１の領域の周方向の最短のマークの長さは、記録層に記録される最短のピット長よりも長くなるように構成されている。
【０００９】
本構成によって、本発明の光記録媒体は、球面収差によって表面に焦点したときのスポット径が大きくなったレーザ光であっても、バーコードを正確に読み取ることができる。
【００１０】
また、本発明の光記録媒体は、情報の記録または再生を行う記録層を備える光記録媒体であって、レーザ光の入射側表面の所定の半径位置に周方向にマークした第１のバーコードと、記録層の所定の半径位置に周方向にマークした第２のバーコードとを備え、第１のバーコードと第２のバーコードには相関のある情報をマークしている。
【００１１】
本構成によって、本発明の光記録媒体は、ユーザ使用による表面のバーコードの損傷を、第１のバーコードと第２のバーコードを比較することにより検出することができる。
【発明の効果】
【００１２】
本発明の光記録媒体及び光ディスク装置によれば、迅速かつ正確に光記録媒体の種類を識別し、データの記録または再生を行うことができる。
【発明を実施するための最良の形態】
【００１３】
以下に、本発明の実施の形態について、図面を参照しながら説明する。
【００１４】
（実施の形態１）
図１は、本発明の実施の形態１における光記録媒体の断面図である。図１は、光記録媒体１００を径方向に切断した断面図であり、右側が外周方向を表す。
【００１５】
図１において、光記録媒体１００は、厚さ約０．６ｍｍの基板１０１上に厚さ約０．６ｍｍの透明基板１０２が貼付されており、基板１０１と透明基板１０２の間に記録層１０３が形成されている。さらに、透明基板１０２の所定の半径位置の表面には、周方向にバーコード１０４が形成されている。ここで、レーザ光は透明基板１０２を介して記録層１０３に情報の記録又は再生を行う。
【００１６】
図２は、本発明の実施の形態１における、透明基板１０２側から見た光記録媒体１００の平面図である。図２において、光記録媒体１００を図示しない光ディスク装置に装着するための中心孔２０１が形成されており、記録層１０３に形成された、データを記録するための記録領域２０２があり、透明基板１０２の所定の半径位置の表面のバーコード領域２０３に、バーコード１０４が光記録媒体１００の周方向に形成されている。
【００１７】
ここで、光記録媒体１００のバーコード１０４には、光記録媒体１００の種類を識別するためのコードが記録されている。図３に光記録媒体１００とバーコード１０４に記録されている光記録媒体１００の種類に対応したコードの対応表を示す。図３において、光記録媒体Ａ、光記録媒体Ｂ等は、光記録媒体の種類を表し、例えば、光記録媒体Ａが再生専用ＤＶＤに対応し、光記録媒体Ｂが再生専用ＣＤに対応する。図３によれば、光記録媒体Ａの時は、バーコード１０４にコードとして１が記録され、光記録媒体Ｂの時は、バーコード１０４にコードとして２が記録される。さらにバーコード１０４には、製造番号などの、光記録媒体１００に個々に与えられた個別のＩＤコード（ＩＤ情報）が記録されている。
【００１８】
次にバーコード１０４のコードの記録方法について説明する。図４は、バーコード１０４の記録方法を説明するための図である。図４において、横軸は光記録媒体１００の周方向を表す。以下、図４を用いて、バーコード１０４に書き込むデータとして｛４、１０、３｝のデータ列を例として説明する。
【００１９】
まず、データ列は２進データに変換される。図４に示すように、｛４｝は｛０１００｝、｛１０｝は｛１０１０｝、｛３｝は｛００１１｝という２進データに変換される。次に、２進データに変換されたデータ列は、２進データが｛１｝の場合に一定期間長（図４では、期間長Ａに相当）だけ黒マークを有するバーコードへと変換される。このバーコードが図１の光記録媒体１００のバーコード１０４に記録される。ここでは、データ列として、｛４、１０、３｝を例に用いて説明したが、上記手順によれば、任意のデータ列の記録が可能となる。
【００２０】
図５は、図２で示した中心孔２０１、記録領域２０２、バーコード領域２０３を含む領域を拡大して示したものであり、横軸は光記録媒体１００の周方向を示す。記録領域２０２には、データを記録するためのピット２０４が周方向、径方向に無数に並んで形成されている（全てのピットは図示していない）。また、図５のバーコード領域２０３において、バーコード１０４の黒マークの領域を第１の領域とし、黒マーク以外の領域を第２の領域とする。
【００２１】
ここで、第１の領域の周方向の長さをＡとし、ピット２０４のピット長をＢとする。そして、第１の領域の周方向の長さＡの最短の長さが、記録領域２０２に形成されたピット２０４のピット長Ｂの最短のピット長より長くなるように第１の領域を形成している。光記録媒体の最短ピット長は光記録媒体の種類によって異なっており、ＣＤの最短ピット長は約０．８μｍ、ＤＶＤの最短ピット長は約０．４μｍ、ＢＤの最短ピット長は約０．１４μｍである。本発明において、最短ピット長は、バーコード１０４を読み取るためのレーザ光が、どの種類の光記録媒体の記録層の記録領域を読み取るときのレーザ光であるかによって決まる。つまり、例を挙げると、バーコード１０４を読み取るためのレーザ光がＣＤ用であるならば、第１の領域の周方向の最短の長さを、ＣＤの最短ピット長より長くなるように構成し、バーコード１０４を読み取るためのレーザ光がＢＤ用であるならば、第１の領域の周方向の最短の長さを、ＢＤの最短ピット長より長くなるように構成する。
【００２２】
好ましくは、第１の領域の周方向の最短の長さを、ＣＤの最短ピット長より長くするのが良い。これは、ＣＤの最短ピット長が、ＤＶＤやＢＤの最短ピット長よりも長いため、第1の領域の周方向の最短の長さをＣＤの最短ピット長より長くすることで、ＣＤ用のレーザでバーコード１０４を読み取ることができ、さらにＤＶＤ用のレーザでも、ＢＤ用のレーザでも、バーコード１０４を読み取ることができるからである。
【００２３】
また、第１の領域の周方向の最短の長さをピット２０４の最短のピット長の２倍以上に長く第１の領域を形成するのが良く、ここでは、第１の領域の周方向の最短の長さが、ピット２０４の最短のピット長の３倍の長さになるように第１の領域を形成している。これは、第1の領域の周方向の最短の長さが少しでも長い方が、より球面収差による影響を抑えることができ、第１の領域の周方向の最短の長さを、最短ピット長の整数倍とすることで、回路構成の簡略化が期待できるためである。
【００２４】
そして、第１の領域は第２の領域より反射率が低くなるように形成し、ここでは、第１の領域の反射率は第２の領域の反射率に対して２分の１以下とする。また、第１の領域の周方向の平均的な長さは第２の領域の周方向の平均的な長さより短く構成している。図４を参照して、第１の領域の周方向の平均的な長さとは、光記録媒体１００に形成されたバーコード１０４の１ビット分の全ての黒マークの周方向の長さＡの平均を意味している。また第２の領域の周方向の平均的な長さとは、バーコード１０４の１ビットの全ての黒マークの間の周方向の長さの平均を意味している。ここでは、第１の領域の周方向の平均的な長さは第２の領域の周方向の平均的な長さの２分の１以下としている。これは、一度反射光量が途絶え、第２の領域での焦点制御の復帰におよそ４ｍｓ程度必要で、次に示すように、第１の領域の周方向の長さＡを２ｍｓ以下としているので、第1の領域の周方向の平均的な長さを第２の領域の周方向の平均的な長さの２分の１以下としている。
【００２５】
さらに、図５のバーコード１０４の第１の領域の長さＡは、レーザの光スポットが通過する時間に換算して、２ｍｓ以下が望ましい。これは、反射光量なしに焦点制御を可能な時間が、２ｍｓ程度だからである。これ以上長さＡを長くすると、第１の領域での焦点制御が困難になり、より安定性を考えると、２００μｓ程度が望ましい。
【００２６】
以上のように、本発明の実施の形態１の光記録媒体１００では、記録層１０３の記録面にレーザ光を焦点したときに、スポット径が最適になるように設計されており、光記録媒体のレーザ光の入射側表面に形成されたバーコードに焦点した場合、設計値と光の波の伝播距離が異なるために球面収差が生じて、焦点スポットが記録層に焦点した場合に比べて大きくなってしまうが、表面に形成されたバーコード１０４の第１の領域の周方向の最短の長さが、ピット２０４の最短のピット長より長くなるように第１の領域が形成されているので、球面収差により表面に焦点したときのスポット径が大きくなり、最短のピット長のピット２０４を読み取ることができないスポット径のレーザ光であっても、第１の領域を読み取って、バーコード１０４を正確に読み取ることができ、迅速かつ正確に光記録媒体の種類を識別することが可能になる。また、バーコード１０４の第１の領域の周方向の最短の長さを十分に長くすることで、波長が長くスポット径の大きなレーザ光であっても良く、任意のレーザ光で光記録媒体の種類を識別することが可能になる。
【００２７】
さらに、光記録媒体１００では、バーコード１０４において、第１の領域の反射率を第２の領域の反射率より低くバーコード１０４を形成することで、光記録媒体１０４からの反射光を検出するだけで、簡単にバーコード１０４の情報を読み取ることができる。
【００２８】
また、第１の領域の周方向の平均的な長さを第２の領域の周方向の平均的な長さより短くバーコード１０４を形成することで、光記録媒体１００のレーザ光の入射側表面への焦点制御の安定性が保てる。つまり、バーコード１０４の第２の領域に焦点制御しているときは、レーザ光の反射光量が十分であり、光記録媒体１００の表面への焦点制御が安定しているのに対して、第１の領域に焦点制御しているときは、レーザ光の反射光量が少ないため、光記録媒体１００の表面への焦点制御に乱れが生じてしまうという課題があり、この課題を、第１の領域の周方向の平均的な長さを第２の領域の周方向の平均的な長さより短くなるようにバーコード１０４を形成することによって、焦点制御が乱れ得る区間が少なくなり、焦点制御が不安定になり外れてしまうという不都合が回避される
さらに、実施の形態１の光記録媒体では、バーコード１０４の第１の領域の長さＡは、レーザの光スポットが通過する時間に換算して、２ｍｓ以下にすることで、局所的にも焦点制御の安定性が保たれる。
【００２９】
なお、本発明の実施の形態１において、バーコードを黒いマークで表現したが、他の色や凹凸でも良く、また熱を与えて復屈折率を持たせるようにしても良く、光記録媒体からの反射光に変化を生じるものであればよい。
【００３０】
（実施の形態２）
図６は、本発明の実施の形態２における他の光記録媒体の断面図である。図６は、光記録媒体５００を径方向に切断した断面図であり、右側が外周方向を表す。
【００３１】
図６において、光記録媒体５００は、厚さ約０．６ｍｍの基板５０１上に厚さ約０．５ｍｍの第２の透明基板５０４が貼付されており、基板５０１と第２の透明基板５０４の間に第２の記録層５０５が形成されている。第２の透明基板５０４の上に厚さ約０．１ｍｍの第１の透明基板５０２が貼付されており、第１の透明基板５０２と第２の透明基板５０４の間に第１の記録層５０３が形成されている。第２の記録層５０５は光記録媒体として知られるＤＶＤと等価な記録層であり、第１の記録層５０３はレーザ波長約４２０ｎｍに対応した記録層である。第１の透明基板５０２の所定半径位置の表面には、周方向にバーコード５０６が形成されている。ここで、バーコード５０６を第１のバーコードとする。
【００３２】
レーザ光は第１の透明基板５０２を介して情報を第１の記録層５０３に記録又は再生を行う。また、レーザ光は第１の透明基板５０２と第１の記録層５０３と第２の透明基板５０４を介して情報を第２の記録層５０５に記録又は再生を行う。さらに、第１の記録層５０３と第２の記録層５０５の所定半径位置には、記録層が除去されたバーコード領域５０７があり、このバーコード領域５０７に第２のバーコードが形成されている。第２のバーコードは第１の記録層５０３と第２の記録層５０５の記録層が除去された部分のどちらに形成されていても良く、ここでは、第１の記録層５０３の記録層が除去された部分に第２のバーコードを形成しているものとする。また、第１の記録層５０３と第２の記録層５０５のバーコード領域５０７の第２のバーコードの半径位置と、光記録媒体５００の表面の第１のバーコード半径位置は異なっている。
【００３３】
ここで、第１のバーコード５０６には、光記録媒体５００の種類を識別するためのコードが記録されている。また、第１のバーコードには、製造番号などの、光記録媒体５００に個々に与えられた個別のＩＤコード（ＩＤ情報）が記録されている。図７に、光記録媒体５００と第１のバーコードに記録されている光記録媒体５００の種類を識別するためのコードの対応表を示す。図７において、光記録媒体Ａ、光記録媒体Ｂ等が、光記録媒体の種類を表すことは、実施の形態１の光記録媒体１００と同じである。実施の形態２の光記録媒体５００の第１のバーコードには、複合媒体の光記録媒体の種類も記録している。
【００３４】
すなわち、図６の第１の記録層５０３のレーザ光に対する特性が光記録媒体Ａの特性であり、第２の記録層５０５のレーザ光に対する特性が光記録媒体Ｃの特性である場合、コードの５が光記録媒体５００の第１のバーコードに記録される。
【００３５】
そして、第２のバーコードには、第１のバーコードと同じように、光記録媒体５００の種類を識別するためのコード、または、同じＩＤコード（ＩＤコードとは、製造番号などの、光記録媒体５００にここに与えられた個別のコードのこと）が記録されている。また、第２のバーコードに記録された情報の記録方法は、第１のバーコードに情報を記録する方法と同じである。すなわち、第１のバーコードと第２のバーコードは同じコードを持っており、それぞれのバーコードに記録されている情報のうち少なくとも一部は同じ情報となっているため、両者に記録されている情報には相関がある構成となる。
【００３６】
以上のように、本発明の実施の形態２の光記録媒体５００では、第１のバーコードと第２のバーコードを半径位置が異なるように備え、第１のバーコードと第２のバーコードが少なくとも一部同じコードを記録している構成とすることにより、第１のバーコードと第２のバーコードの記録データの読み取りが可能になり、第１のバーコードと第２のバーコードの記録情報に相関を持たせているので、ユーザ使用による表面のバーコード５０６の損傷を、バーコード領域５０７の記録データと比較することにより検出することができ、光記録媒体５００の表面のバーコード５０６の読み取りにおける誤認識の影響を最小限にすることができる。
【００３７】
たとえば、使用するレーザを誤った場合であっても、第１のバーコードと第２のバーコードの記録情報を比較することにより、第１のバーコードに損傷がある場合に、誤りを検出することができるため、その時点で動作を停止することができる。これにより、誤ったレーザを使用したことによる記録層の記録情報にダメージを与えるなどの不都合を最小限にできる。
【００３８】
なお、第１の記録層５０３と第２の記録層５０５の記録層は、複数回の記録が可能な記録層だけではなく、エンボスなどで予め情報が記録された記録層も含む。
【００３９】
さらに、本発明の実施の形態２では、第１の記録層と第２の記録層としたが、本発明の光記録媒体５００は、２つの記録層に限定されるものではなく、実施の形態１光記録媒体のように１つの記録層持つ光記録媒体としても、より多くの記録層を持つ光記録媒体としても、本発明と同じ効果を奏し、本発明に含まれる。
【００４０】
また、実施の形態１のバーコード１０４のように、第１のバーコードと第２のバーコードの第１の領域の周方向の最短の長さを記録層５０３の最短ピット長より長くすることで、迅速かつ正確に光記録媒体５００の種類を識別することが可能になり、さらに、第１のバーコードと第２のバーコードの第１の領域の周方向の最短の長さを十分に長くすることで、波長が長くスポット径の大きなレーザ光であっても良く、任意のレーザ光で光記録媒体５００の種類を識別することが可能になり、実施の形態１の奏する効果と同様の効果を奏することができる。
【００４１】
（実施の形態３）
図８に、本発明の実施の形態３における光ディスク装置の構成図を示す。本発明の実施の形態３の光ディスク装置は実施の形態１の光記録媒体１００にデータを記録または再生を行う装置である。図８において、光記録媒体１００はモータ７０９により回転駆動される。図８の光ディスク装置は、レーザ波長約４２０ｎｍのレーザ７０１ａとレーザ波長６５０ｎｍのレーザ７０１ｂが搭載されている。ここでは、レーザ７０１ａとレーザ７０１ｂとでは、レーザ７０１ａの方が高分解能のため、レーザ７０１ａのみを点灯する。一般に、波長の短いレーザほど光記録媒体に焦点制御した時の光スポット径が小さくなるため、高分解能となる。
【００４２】
図８において、レーザ７０１ａより出射されたレーザ光は、対物レンズ７０２で集光された後、実施の形態１の光記録媒体１００で反射され、複数個の検出器７０３で受光される。複数個の検出器７０３では、受光量に応じた検出信号を出力する。複数個の検出器７０３の検出信号は、増幅部７０４で演算合成（減算を含む）されフォーカス誤差信号ＦＥが生成される。ここで、フォーカス誤差信号ＦＥは、レーザ７０１ａから出射されたレーザ光の合焦点と表面または記録層１０３との位置誤差に対応した大きさの信号である。増幅器７０４のフォーカス誤差信号ＦＥは、制御部７０５で位相補償処理や増幅等が行われ、駆動信号ＦＤとして出力される。駆動部７０６では、制御部７０５の駆動信号ＦＤに応じた電流をフォーカスアクチュエータ７０７に供給し、対物レンズ７０２を駆動する。
【００４３】
以上、レーザ７０１ａ、７０１ｂと対物レンズ７０２と複数個の光検出器７０３と増幅部７０４と駆動部７０６とフォーカスアクチュエータ７０７でフォーカス制御装置が構成され、レーザ７０１ａから出射されたレーザ光の合焦点と表面または記録層１０３との位置誤差が零になるように対物レンズ７０２の位置が制御される。このフォーカス制御装置により、光記録媒体１００の表面または記録層１０３に焦点制御される。
【００４４】
図８の増幅部７０４では、さらに複数個の検出器７０３からの検出信号に演算合成を行った合成信号ＡＳを出力する。ここで、合成信号ＡＳは、複数個の検出器７０３からの検出信号の合成信号であり、光記録媒体１００の表面または記録層１０３からのレーザ光の反射光の大きさに対応した大きさとなっている。増幅部７０４の合成信号ＡＳは認識部７０８に入力される。
【００４５】
認識部７０８では、光記録媒体１００のバーコード１０４の内容を読み取る。すなわち、フォーカス制御装置が表面に焦点制御している場合、バーコード１０４の第１の領域でのレーザの反射光量が第２の領域からの反射光量に比べ少ないために、合成信号ＡＳによりバーコード１０４の内容を認識することができる。認識部７０８では、バーコード１０４に記録されたコードを認識し、光記録媒体１００の種類を特定する。すなわち、認識部７０８でバーコード１０４のコードが１と読み取られた場合には、図３の光記録媒体の種類とコードに対応表により、光記録媒体Ａの光記録媒体と識別する。
【００４６】
図９は、本発明の実施の形態３の光ディスク装置の動作を示すフローチャートである。図９において、まず、レーザ７０１ａを点灯し、光記録媒体１００の表面に焦点制御する（ステップＳ１００）。次に、光記録媒体１００のバーコード１０４を読み取る（ステップＳ１０１）。次に、バーコード１０４に記録されたコードを認識し、光記録媒体１００の種類を特定する（ステップＳ１０２）。次に、特定した光記録媒体１００の種類に応じたレーザを選択し、選択したレーザを点灯して、光記録媒体１００の記録層１０３に焦点制御する（ステップＳ１０３）。そして、光記録媒体１００へデータの記録または再生を行い、動作を終了する（ステップＳ１０４）。
【００４７】
以上のように、本発明の実施の形態３の光ディスク装置では、光記録媒体１００の表面に形成されたバーコード１０４を読み取り、光記録媒体１００の種類を識別して、その種類に応じたレーザを用いて光記録媒体１００の記録層１０３に焦点制御を行う構成にすることにより、実施の形態１の光記録媒体１００のバーコードを読み取ることができ、光記録媒体１００の種類を特定して、記録層１０３への焦点制御を光記録媒体１００に適したレーザを用いて行うので、光記録媒体１００にデータの記録または再生を、迅速かつ正確に行うことができる。
【００４８】
さらに、本発明の実施の形態３では、任意のレーザを１つ点灯することにより、光記録媒体１００の種類が特定できるため、レーザ波長の短い高分解能のレーザを使用可能という利点がある。これにより、読み取ったバーコードの情報の信頼性が大幅に向上している。
【００４９】
なお、実施の形態３では、２つのレーザを搭載した光ディスク装置としたが、より多くのレーザを搭載しても良く、同様の効果を奏することができる。
【００５０】
また、本発明の実施の形態３では、点灯するレーザとして、波長の短いレーザを点灯する構成としたが、消費電力が低いレーザを点灯する構成としても良く、また長寿命のレーザを点灯する構成にしても良く、さらに、調整時間などの点灯に要する時間が短いレーザを点灯する構成にしても良く、これら何れの変更を行っても、本発明と同様の効果を奏することができる。
【００５１】
（実施の形態４）
図１０に、本発明の実施の形態４における光ディスク装置の構成図を示す。本発明の実施の形態３の光ディスク装置は、実施の形態２の光記録媒体５００にデータを記録または再生を行う装置である。図１０の光ディスク装置のモータ７０９とレーザ７０１ａとレーザ７０１ｂと対物レンズ７０２と複数個の検出器７０３と増幅部７０４と制御部７０５と駆動部７０６とフォーカスアクチュエータ７０７は、図８の光ディスク装置に記載した構成と同じであるため、説明を省略する。
【００５２】
図８の光ディスク装置と同様に図１０の光ディスク装置においても、レーザ７０１ａと対物レンズ７０２と複数個の光検出器７０３と増幅部７０４と駆動部７０６とフォーカスアクチュエータ７０７でフォーカス制御装置が構成され、レーザ７０１ａから出射されたレーザ光の合焦点と表面または記録層との位置誤差が零になるように対物レンズ７０２の位置が制御される。このフォーカス制御装置により、光記録媒体５００の表面に焦点制御される。
【００５３】
図１０の増幅部７０４では、複数個の検出器７０３からの検出信号に演算合成を行った合成信号ＡＳを出力する。ここで、合成信号ＡＳは、複数個の検出器７０３からの検出信号の合成信号であり、光記録媒体５００の表面からのレーザ光の反射光の大きさに対応した大きさとなっている。増幅部７０４の合成信号ＡＳは認識部８０８に入力される。
【００５４】
認識部８０８では、第１のバーコードを読み取ることは、実施の形態３でのバーコード１０４の読み取りと同様である。
【００５５】
さらに、実施の形態４では、図１０のコントローラ８０９により、認識部８０８での認識が困難な場合、レーザの切り替え動作を行う。すなわち、認識部８０８で異常なデータが検出された場合、図８のコントローラ８０９の指示により、レーザ７０１ａを消灯して、レーザ７０１ｂを点灯して、再度焦点制御を行い、第１のバーコードの読み取りを行う。レーザ７０１ｂで焦点制御を行っても、認識部８０８で異常なデータが検出された場合、点灯しているレーザの消灯や、レンズ７０２を光記録媒体５００から遠ざかる方向に退避させるなどをして、焦点制御を停止する。認識部８０８では、図７に存在しないコードを認識した場合に、異常なデータを検出したと判断する。
【００５６】
さらに、実施の形態４の光ディスク装置では、第２のバーコードの情報も読み取る。すなわち、第１のバーコードを読み取ったレーザと同じレーザを点灯して第１の記録層５０３にフォーカス制御装置にて焦点制御を行い、増幅部７０４の合成信号ＡＳの大きさにより、第２のバーコードの情報を読み取る。第２のバーコードの情報の記録方法は、第１のバーコードに情報を記録する方法と同じであるため、第１のバーコードと第２のバーコードを同じ装置で読み取ることができる。ここで、光記録媒体５００において、第１のバーコードと第２のバーコードの半径位置を異なる位置にしているために、第１のバーコードと第２のバーコードの両方のデータを読み取ることが可能である。
【００５７】
図８のコントローラ８０９では、認識部８０８で第１のバーコードと第２のバーコードのＩＤ情報や光記録媒体５００の種類を示す種類情報を比較する。比較結果が異なる場合、フォーカス制御装置の焦点制御を停止する。比較結果が異なるとは、本来ならば、第１のバーコードと第２のバーコードのデータに相関があるはずであるが、比較した結果その相関を認識することができないことをいう。
【００５８】
図１１は、本発明の実施の形態２の光ディスク装置の動作を示すフローチャートである。図１１において、まず、レーザ７０１ａを点灯し、光記録媒体５００の表面に焦点制御する（ステップＳ２００）。次に、レーザ７０１ａで、光記録媒体５００の第１のバーコードを読み取る（ステップＳ２０１）。次に、認識部８０８が、第１のバーコードを正常に認識できたかどうかを判断し、ステップＳ２０３とステップＳ２０８に分かれる（ステップＳ２０２）。
【００５９】
まず、ステップＳ２０２で、第１のバーコードを正常に認識できた場合、第１のバーコードを認識したレーザと同じレーザで記録層５０３に焦点制御する（ステップＳ２０３）。次に、記録層５０３にある第２のバーコードを読み取る（ステップＳ２０４）。次に、第１のバーコードと第２のバーコードのコードを比較する（ステップＳ２０５）。そして、第１のバーコードと第２のバーコードに相関があるかを判断する（ステップＳ２０６）。ステップＳ２０６で相関がある場合、光記録媒体５００の記録領域へデータの記録または再生を行い、動作を終了する（ステップＳ２０７）。また、ステップＳ２０６で相関がない場合、焦点制御を停止し、動作を終了する（ステップＳ２１１）。
【００６０】
また、ステップＳ２０２で、第１のバーコードを正常に認識できなかった場合、レーザ７０１ａを消灯し、レーザ７０１ｂを点灯して、光記録媒体５００の表面に焦点制御する（ステップＳ２０８）。次に、レーザ７０１ｂで、光記録媒体５００の第１のバーコードを読み取る（ステップＳ２０９）。そして、認識部８０８が第１のバーコードを正常に認識できたかどうかを判断し、ステップＳ２０３とステップＳ２１１に分かれる（ステップＳ２１０）。
【００６１】
以上のように、本発明の実施の形態４の光ディスク装置では、光記録媒体５００の表面に形成された第１のバーコードと、記録層５０３に形成された第２のバーコードを読み取り、第１のバーコードと第２のバーコードを比較して、両バーコードに相関があるかどうかを判断し、相関がない場合に、光記録媒体５００への焦点制御を停止する構成にすることにより、実施の形態２の光記録媒体５００の表面に形成された第１のバーコードに、ユーザ使用などによる劣化を認識することができるので、第１のバーコードが、ユーザ使用などによる劣化によって、その信頼性が低下した場合に、対物レンズ７０２の光記録媒体５００への衝突や、光記録媒体５００への誤った書き込みなどの影響を軽減することができるとともに、実施の形態３の光ディスク装置と同様、光記録媒体５００にデータの記録または再生を、迅速かつ正確に行うことができる。
【００６２】
すなわち、表面の第１のバーコードの記録内容がユーザ使用により劣化すると、認識部８０８での認識結果が誤る。しかし、本発明の実施の形態４の光ディスク装置では、第１のバーコードの読み取り結果と第２のバーコードの読み取り結果を比較することにより、表面の第１のバーコードの読み取り結果の誤りを検出し、フォーカス制御装置の動作を停止している。このため、実施の形態４の光ディスク装置では、対物レンズ７０２と光記録媒体５００の衝突や、光記録媒体５００への誤った書き込みなどの、認識部８０８での誤った認識結果による悪影響を最小限にできる。
【００６３】
また、実施の形態４では、同じレーザで第１のバーコードと第２のバーコードの読み取りを行っている。これにより、レーザ切り替えを不要として起動時間の短縮を可能としている。実施の形態１の光記録媒体１００のバーコード１０４と同様に、第１のバーコードと第２のバーコードが、記録されたマークの長さが、レーザ波長に比較して十分長く構成されているならば、任意の波長のレーザで読み取りが可能である。
【００６４】
なお、実施の形態４では、２つのレーザを搭載した光ディスク装置としたが、より多くのレーザを搭載しても良く、同様の効果を奏することができる。
【産業上の利用可能性】
【００６５】
本発明にかかる光記録媒体及び光ディスク装置は、迅速かつ正確に光記憶媒体の種類を識別できるので、情報の記録や再生を行う光記録媒体及び光ディスク装置として有用である。
また、本発明は、表面に記録媒体の種類情報を記録したバーコードを備えた光記録媒体とその光ディスク装置に関するものであり、起動時間が短くなるという利点で、様々な光ディスク装置搭載の機器の高性能化が図れ、有用である。
【図面の簡単な説明】
【００６６】
【図１】本発明の実施の形態１における光記録媒体の断面図
【図２】同光記録媒体の平面図
【図３】同光記録媒体のバーコードの記録コードと光記録媒体の種類を示す図
【図４】同光記録媒体のバーコードの記録方法を説明するための図
【図５】同光記録媒体の拡大図
【図６】本発明の実施の形態２における光記録媒体の断面図
【図７】同光記録媒体のバーコードの記録コードと光記録媒体の種類を示す図
【図８】本発明の実施の形態３における光ディスク装置の構成図
【図９】同光ディスク装置の動作を示すフローチャート
【図１０】本発明の実施の形態４における光ディスク装置の構成図
【図１１】同光ディスク装置の動作を示すフローチャート
【符号の説明】
【００６７】
１００、５００    光記録媒体
１０１、５０１    基板
１０２、５０２、５０４    透明基板
１０３、５０３、５０５    記録層
１０４、５０６    バーコード
５０７、２０３    バーコード領域
２０１    中心孔
２０２    記録領域
２０４    ピット
７０１ａ、７０１ｂ    レーザ
７０２    対物レンズ
７０３    検出器
７０４    増幅部
７０５    制御部
７０６    駆動部
７０７    フォーカスアクチュエータ
７０８、８０８    認識部
７０９    モータ
８０９    コントローラ
【図１】
2006344275.tif 000003
【図２】
2006344275.tif 000004
【図３】
2006344275.tif 000005
【図４】
2006344275.tif 000006
【図５】
2006344275.tif 000007
【図６】
2006344275.tif 000008
【図７】
2006344275.tif 000009
【図８】
2006344275.tif 000010
【図９】
2006344275.tif 000011
【図１０】
2006344275.tif 000012
【図１１】
2006344275.tif 000013